(57)【要約】【課題】トラップカバーを取り付ける際の作業性を向上させたトラップカバー取付構造を提供する。【解決手段】本発明は、壁面に固定される洗面器１のトラップカバーの取付構造であって、壁面に固定されトラップカバーを支持する支持部材８と、トラップカバーに取り付けられ且つ支持部材と係合する固定具１２と、を有し、固定具は、トラップカバーに形成された孔に回転可能に挿入された固定用ボルト１８と、この固定用ボルトにその中心から偏心した位置Ｘが回転不能に固定され且つ円弧状外周面２４ｂを有する回転フック手段２４と、を備え、支持部材は、固定具の回転フック手段の円弧状外周面と摺動可能な摺動面１１ａを備え、固定用ボルトが回転すると、回転フック手段がその偏心位置Ｘを中心に回転して円弧状外周面が支持部材の摺動面上を摺動するように構成されている。【選択図】図２
2010127057.tif 000002
【特許請求の範囲】
【請求項１】
壁面に固定される洗面器のトラップカバーの取付構造であって、
上記壁面に固定されトラップカバーを支持する支持部材と、
上記トラップカバーに取り付けられ且つ上記支持部材と係合する固定具と、を有し、
上記固定具は、上記トラップカバーに形成された孔に回転可能に挿入された固定用ボルトと、この固定用ボルトにその中心から偏心した位置が回転不能に固定され且つ円弧状外周面を有する回転フック手段と、を備え、
上記支持部材は、上記固定具の回転フック手段の円弧状外周面と摺動可能な摺動面を備え、
上記固定用ボルトが回転すると、上記回転フック手段がその偏心位置を中心に回転して円弧状外周面が上記支持部材の摺動面上を摺動するように構成されていることを特徴とするトラップカバーの取付構造。
【請求項２】
上記回転フック手段は、上記固定用ボルトにその中心から偏心した位置が回転不能に固定されたベースプレートと、このベースプレートに回転不能に固定され且つその中心から偏心した位置で回転可能な回転フック本体とから構成されている請求項１に記載のトラップカバーの取付構造。
【請求項３】
上記支持部材の摺動面には、回転フック手段の回転を規定するストッパが形成されている請求項１に記載のトラップカバーの取付構造。
【発明の詳細な説明】
【技術分野】
【０００１】
本発明は、トラップカバーの取付構造に係わり、特に、壁面に固定される洗面器のトラップカバーの取付構造に関する。
【背景技術】
【０００２】
洗面器の下方にはトラップ管が設けられているが、このトラップ管は、トラップカバーにより覆い隠されている。これらの洗面器とトラップカバーを別々に壁面に固定したのでは、トラップカバーの取付作業が難しくなるので、この取付作業を簡略化するための種々のトラップカバーの取付構造が提案されている。
【０００３】
例えば、特許文献１には、洗面器とトラップカバーを壁面に取り付けるために、洗面器に下方に突出した脚部を設け、この脚部に取付金具を当接させた状態で、ビスで取付金具と脚部と一体状に壁面に固設し、次に、この状態で取付金具にネジによりトラップカバーを取り付け、トップカバーの取付けのために壁面に穴を開けることなく、洗面器とトラップカバーとを一体化させたものが提案されている。
【０００４】
更に、特許文献２には、便器等の衛生器具を床又は壁に取り付けるために、衛生器具に予めネジにより回転する螺旋形状の締め付け面を持つスプリングワッシャを取り付け、このスプリングワッシャをネジにより回転させて、床又は壁に設けられた相方部品に係合させるようにしたものが提案されている。
【０００５】
【特許文献１】実開平２-２９９５６号公報
【特許文献２】ＥＰ０６７０３９４Ａ１
【発明の開示】
【発明が解決しようとする課題】
【０００６】
上述した特許文献１のトラップカバーの取付構造は、トラップカバーの取付けのために壁面に穴を開けなくても良い点で優れているが、作業者がトップカバーを抱えながら、ネジにより取付金具にトップカバーを取り付ける作業は、煩雑であり、作業性に問題がある。
【０００７】
上述した特許文献２の取付構造は、螺旋形状の締め付け面を持つスプリングワッシャを相方部品と係合させるので、係合力が連続的に増加し、また、公差があっても補償される等の利点がある。しかしながら、特許文献２のものにおいても、特許文献１と同様に、取付作業時、スプリングワッシャの締め付け面が相方部品に係合するまでは、トラップカバーが落下しないように、作業者が手で支持しなければならず、また、トラップカバーの取外作業時も同様に、スプリングワッシャの締め付け面が相方部品に係合しなくなった後は、作業者が手で支持しなければならず、トップカバーを取り付ける作業は、煩雑であり、作業性に問題がある。
【０００８】
本発明は、上述した従来技術の問題点を解決するためのなされたものであり、トラップカバーを取り付ける際の作業性を向上させたトラップカバー取付構造を提供することを目的としている。
【課題を解決するための手段】
【０００９】
上記の目的を達成するために、本発明は、壁面に固定される洗面器のトラップカバーの取付構造であって、壁面に固定されトラップカバーを支持する支持部材と、トラップカバーに取り付けられ且つ支持部材と係合する固定具と、を有し、固定具は、トラップカバーに形成された孔に回転可能に挿入された固定用ボルトと、この固定用ボルトにその中心から偏心した位置が回転不能に固定され且つ円弧状外周面を有する回転フック手段と、を備え、支持部材は、固定具の回転フック手段の円弧状外周面と摺動可能な摺動面を備え、固定用ボルトが回転すると、回転フック手段がその偏心位置を中心に回転して円弧状外周面が支持部材の摺動面上を摺動するように構成されていることを特徴としている。
このように構成された本発明においては、トラップカバーに取り付けられ且つ支持部材と係合する固定具により、トラップカバーを取り付けるようにしている。この固定具は、固定用ボルトと、この固定用ボルトにその中心から偏心した位置が回転不能に固定され且つ円弧状外周面を有する回転フック手段と、を備え、支持部材は、固定具の回転フック手段の円弧状外周面と摺動可能な摺動面を備えているので、固定用ボルトが回転すると、回転フック手段がその偏心位置を中心に回転して円弧状外周面が支持部材の摺動面上を摺動するようになっている。そのため、作業者は、トラップカバーの取付（取外）作業時に、トラップカバーを手で支持する必要がないので、トラップカバーの取付作業の作業性が向上する。
【００１０】
本発明において、好ましくは、回転フック手段は、固定用ボルトにその中心から偏心した位置が回転不能に固定されたベースプレートと、このベースプレートに回転不能に固定され且つその中心から偏心した位置で回転可能な回転フック本体とから構成されている。
このように構成された本発明においては、回転フック手段が、ベースプレートと回転フック本体とで構成されているので、固定具のトラップカバーへの取付作業が容易となる。
【００１１】
本発明において、好ましくは、支持部材の摺動面には、回転フック手段の回転を規定するストッパが形成されている。
このように構成された本発明においては、不要な固定用ボルトの回転作業を防止することができる。
【発明の効果】
【００１２】
本発明のトラップカバーの取付構造によれば、トラップカバーを取り付ける際の作業性が向上する。
【発明を実施するための最良の形態】
【００１３】
以下、添付図面により、本発明のトラップカバーの取付構造の実施形態を説明する。先ず、図１及び図２により、本実施形態によるトラップカバーの取付構造の概要を説明する。図１は本発明の実施形態によるトラップカバーの取付構造を示す正面断面図であり、図２は図１のII−II線に沿って見た断面図である。
【００１４】
図１及び図２に示すように、先ず、陶器製の洗面器１が、洗面器固定用ボルト２、座金３及びナット４により、壁面６に取り付けられている。また、洗面器１の下方には、図示しないトラップ管を覆い隠すためのトラップカバー８が配置されている。
このトラップカバー８は、洗面器固定用ボルト２にナット４により固定されたトラップカバー支持部材１０により、後述する固定具１２を介して、洗面器１により支持されるようになっている。
【００１５】
次に、図３により、トラップカバー支持部材を説明する。図３は本実施形態のトラップカバー支持部材を示す斜視図である。トラップカバー部材１０の下端には、半円弧状の支持部１１が形成され、この支持部１１の上側面は後述する固定具の回転フック本体２４の円弧状外周面２４ｂと摺動可能な摺動面１１ａとなっている。さらに、この支持部１１の前方側上端部には、内側に突出したストッパ１１ｂが形成されている。
【００１６】
次に、図４乃至図６により、本実施形態の固定具について詳細に説明する。図４は本発明の実施形態によるトラップカバー取付構造に使用される固定具をトラップカバーに取り付けた状態を示す断面図であり、図５は固定具の部品展開図であり、図６は固定具をトラップカバーに取り付けた状態を示す斜視図である。
【００１７】
図４乃至図６に示すように、トラップカバーの奥側の側面の２箇所（図１及び図２参照）に、固定具取付孔１４が形成され、この固定具取付孔１４に、固定具１２が取り付けられている。
この固定具１２は、トラップカバー８の外側から固定具取付孔１４内に挿入固定される金属性の軸受ディスク１６と、この軸受ディスク１６に対して回転可能にトラップカバー８の外側から固定具取付孔１４内に挿入される固定用ボルト１８と、これらの軸受ディスク１６及び固定用ボルト１８を覆う着脱自在のキャップ２０と、固定用ボルト１８に、それらの中心から偏心した位置（＝偏心位置Ｘ）が、ぞれぞれ、座金２６及びナット２８により回転不能に固定されたベースプレート２２及び円弧状外周面を有する回転フック本体２４と、を備えている。
【００１８】
回転フック本体２４は、内側に突出した半筒状部２４ａを備え、この半円筒状部２４ａには円弧状外周面２４ｂが形成されている。
また、図５に示すように、固定用ボルト１８の先端部には段部１８ａに形成され、ベースプレート２２の偏心位置Ｘには固定用ボルト１８の段部１８ａと係合する長穴２２ａが形成されている。さらに、このベースプレート２２は、回転フック本体２４の内側に形成された円形溝２４ｃに埋め込まれるようになっている。このようにして、固定用ボルト１８が回転すると、この固定用ボルト１８と一体的に偏心位置Ｘを中心としてベースプレート２２及び回転フック本体２４が回転できるようになっている。
ここで、ベースプレート２２と回転フック本体２４は、一体的に偏心位置Ｘを中心に回転する回転フック手段を構成している。
【００１９】
次に、図７により、上述した本実施形態によるトラップカバーの取付構造における、トラップカバーの取付作業（取付方法）を説明する。図７は本発明の実施形態によるトラップカバー取付構造の取付作業（取付方法）を示す側面図である。
トラップカバー８の取付作業開始時には、先ず、図７（ａ）に示すように、作業者が、トラップカバー８に取り付けられた固定具１２をトラップカバー支持部材１０の支持部１１上に載せる。このとき、回転フック本体２４の半筒状部２４ａは、上方に位置し下向きの状態となっている。
このとき、トラップカバー８の重量は、固定具１２を介してトラップカバー支持部材１０の支持部１１により支持されるので、取付作業の準備がやり易くなる。
【００２０】
次に、作業者は、工具を固定用ボルト１８の頭部に取り付け、固定用ボルト１８を、図６において時計方向に、回転させる。図７（ａ）及び図７（ｂ）に示すように、固定用ボルト１８が回転すると、固定用ボルト１８と一体であるベースプレート２２及び回転フック本体２４も併せて回転する。このとき、固定ボルト１８が時計方向に回転すると、ベースプレート２２及び回転フック本体２４も一緒に回転するが、これらのベースプレート２２及び回転フック本体２４は、上述した変位位置Ｘを回転中心Ｘとして回転するので、回転フック本体２４の半筒状部２４ａは、上下方向に変位しながら回転する。
【００２１】
更に、固定ボルト１８を回転させると、図７（ｃ）に示すように、回転フック本体２４の半筒状部２４ａは、上向きとなり、この回転フック本体２４の半筒状部２４ａの円弧状外周面２４ｂが、上述したトラップカバー部材１０の支持部１１の摺動面１１ａ上を摺動する。
更に、固定用ボルト１８を回転させると、図７（ｃ）に示すように、上向きとなった回転フック本体２４の半筒状部２４ａの前方端部が、トラップカバー部材１０の支持部１１のストッパ１１ｂと当接して、トラップカバー８の取付作業は完了する。
この状態では、トラップカバー部材１０の支持部１１のストッパ１１ｂにより、固定具１２の回転フック本体２４の回転が規制されるので、不要な固定用ボルト１８の回転作業を防止することができる。
【００２２】
ここで、図７（ｃ）に示す最終の取付位置では、トラップカバー８の荷重Ｗは、回転中心Ｘ（偏心位置Ｘ）に作用し、さらに、このトラップカバー８の荷重Ｗがストッパ１１ｂの位置を支点として時計回りに回転しようとするので、固定具１２が、トラップカバー支持部材１０の方向へ引き寄せられ、これにより、安定して、トラップカバー８を保持することができる。
【００２３】
また、トラップカバー８を取り外す際には、上述した工程の逆の工程を実行すれば良い。
【図面の簡単な説明】
【００２４】
【図１】本発明の実施形態によるトラップカバーの取付構造を示す正面断面図である。
【図２】図１のII−II線に沿って見た断面図である。
【図３】本発明の実施形態のトラップカバー支持部材を示す斜視図である。
【図４】本発明の実施形態によるトラップカバー取付構造に使用される固定具をトラップカバーに取り付けた状態を示す断面図である。
【図５】本発明の実施形態によるトラップカバー取付構造に使用される固定具の部品展開図である。
【図６】本発明の実施形態によるトラップカバー取付構造に使用される固定具をトラップカバーに取り付けた状態を示す斜視図である。
【図７】本発明の実施形態によるトラップカバー取付構造の取付作業（取付方法）を示す側面図である。
【符号の説明】
【００２５】
１  洗面器
２  洗面器固定用ボルト
６  壁面
８  トラップカバー
１０  トラップカバー支持部材
１１  支持部
１１ａ  摺動面
１１ｂ  ストッパ
１２  固定具
１４  固定具取付孔
１６  軸受ディスク
１８  固定用ボルト
２０  キャップ
２２  ベースプレート
２４  回転フック本体
２４ａ  半円筒状部
２４ｂ  円筒状外周面
【図１】
2010127057.tif 000003
【図２】
2010127057.tif 000004
【図３】
2010127057.tif 000005
【図４】
2010127057.tif 000006
【図５】
2010127057.tif 000007
【図６】
2010127057.tif 000008
【図７】
2010127057.tif 000009